(57)【要約】【課題】帰還ループの遅延を低減し、広帯域信号を増幅する際も精度良く歪補償する負帰還型歪補償装置及び負帰還型歪補償方法を提供する。【解決手段】第一の移相器１１４は、第一の分配器１０２により分配された第二信号（注入信号）を位相調整し、帯域除去フィルタ１１５は、第一の移相器１１４によって位相調整された第二信号の送信信号帯域を除去し、送信信号帯域外の第二信号を第一の遅延回路１１６に出力する。第一の遅延回路１１６は、所定の遅延を帯域除去フィルタ１１５から出力された信号に与え、第二の合成器１１１に出力する。第二の合成器１１１は、送信帯域外の信号と歪成分とを合成することにより、送信帯域外の信号成分を抑圧する。【選択図】図５
2011097186.tif 000002
【特許請求の範囲】
【請求項１】
入力信号を第一信号、第二信号、第三信号に分配する分配手段と、
前記第一信号を増幅する増幅手段と、
前記第二信号を用いて、前記増幅手段によって生じる歪成分を抽出する歪抽出手段と、
前記第三信号を逆相に移相する移相手段と、
逆相に移相された前記第三信号の送信信号帯域を除去する帯域除去手段と、
抽出された前記歪成分と、送信信号帯域が除去された前記第三信号とを合成し、歪補償信号を生成する歪補償信号生成手段と、
生成された前記歪補償信号を前記第一信号と結合する結合手段と、
を具備する負帰還型歪補償装置。
【請求項２】
入力信号レベルを検波する第一検波手段と、
前記増幅手段から出力された信号レベルを検波する第二検波手段と、
前記負帰還型歪補償装置の利得を制御する利得制御手段と、
前記入力信号レベルと前記増幅手段から出力された信号レベルとのレベル差に応じて、前記利得制御手段を制御する比較手段と、
を具備する請求項１に記載の負帰還型歪補償装置。
【請求項３】
入力信号を第一信号、第二信号、第三信号に分配する工程と、
前記第一信号を増幅する工程と、
前記第二信号を用いて、前記増幅によって生じる歪成分を抽出する工程と、
前記第三信号を逆相に移相する工程と、
逆相に移相された前記第三信号の送信信号帯域を除去する工程と、
抽出された前記歪成分と、送信信号帯域が除去された前記第三信号とを合成し、歪補償信号を生成する工程と、
生成された前記歪補償信号を前記第一信号と結合する工程と、
を具備する負帰還型歪補償方法。
【請求項４】
入力信号レベルを検波する工程と、
前記増幅の結果出力された信号レベルを検波する工程と、
前記入力信号レベルと前記増幅の結果出力された信号レベルとのレベル差に応じて、負帰還型歪補償装置の利得を制御する工程と、
を具備する請求項３に記載の負帰還型歪補償方法。
【発明の詳細な説明】
【技術分野】
【０００１】
本発明は、広帯域信号に適用する負帰還型歪補償装置及び負帰還型歪補償方法に関する。
【背景技術】
【０００２】
従来、移動体通信システムの基地局装置等で使用される増幅器には、高効率で高い線形性を有する増幅器が要求されている。この高効率と高い線形性とは、一般的にトレードオフの関係にある。そこで、高効率と高い線形性とを実現するために、例えば、負帰還型歪補償回路のような増幅器に負帰還を施す手法が知られている。この手法は、増幅器の出力の一部を逆位相で入力端子に帰還するもので、簡単な回路構成で増幅器の低歪化を図ることができる。また、効率良く動作させながら、高い線形性を実現することが可能である。
【０００３】
図１は、増幅器が発生する相互変調歪（以下、「歪」と記載する）を補償する一般的な増幅装置１０の構成を示す図である。図１に示すように、増幅装置１０は、入力信号が入力される入力端子１１と、後段の増幅器１３で発生する歪成分の抑圧に用いる歪補償信号を生成する歪補償回路１２と、入力信号を増幅して増幅信号を出力する増幅器１３と、出力信号が出力される出力端子１４とを具備している。
【０００４】
図２（ａ）〜（ｃ）は、図１のキャリア信号及び歪信号をベクトル的に表現した図である。図２（ａ）は、歪補償回路１２の出力波形を示す図であり、図２（ｂ）は、歪補償しない場合の増幅器１３の出力波形を示す図であり、図２（ｃ）は、歪補償した場合の増幅器１３の出力波形を示す図である。
【０００５】
図２（ｂ）に示すように、増幅器１３は、増幅器１３の入出力の非線形増幅特性により歪信号ｈ１、ｈ２を発生する。歪補償回路１２は、図２（ａ）に示すように、増幅器１３の歪信号ｈ１、ｈ２に対し、同じ振幅で且つ逆位相特性の歪信号成分ｈ’１、ｈ’２を増幅器１３の前段にて生成する。歪補償回路１２は、図２（ａ）に示す信号を増幅器１３に入力することにより、図２（ｃ）に示すように、歪のベクトル合成により歪を抑圧することができる。
【０００６】
ここで、特許文献１に開示の負帰還型増幅器２０の伝達関数を図３に示すブロック図を用いて求める。ｅｉを入力端子から入力される入力信号、Ｄを第一の増幅器２１の出力に加わる歪成分、Ａを第一の増幅器２１の利得、Ｋを第一の合成器２２の結合度（減衰率）、Ｃを第一の位相・電力レベル調整回路２３の値、Ｂを第二の増幅器２４の利得、Ｌを第二の合成器２６の結合度とすると、負帰還型増幅器２０の出力ｅ０は次式（１）で表される。
ｅ０＝Ａ・ｅｉ０＋Ｄ・・・（１）
【０００７】
ここで、この式（１）におけるｅｉ０は、次式（２）で表される。
ｅｉ０＝ｅｉ＋（Ｃ＋ｅｉ＋Ｋ・ｅ０）・Ｂ・Ｌ・・・（２）
【０００８】
式（１）及び式（２）により、ｅ０は次式（３）のように表される。
ｅ０＝Ａ（１＋Ｂ・Ｃ・Ｌ）／（１−Ａ・Ｂ・Ｋ・Ｌ）・ｅｉ＋Ｄ／（１−Ａ・Ｂ・Ｋ・Ｌ）・・・（３）
【０００９】
ここで、前述したように、歪抑圧信号（図２（ａ）参照）は、第二の位相・電力レベル調整回路２３からの主信号中の主信号成分をキャンセルするよう調整されるので、Ａ・Ｋ＝−Ｃとおくことができる。従って、ｅ０は次式（４）で表される。
ｅ０＝Ａ・ｅｉ＋Ｄ／（１＋Ｂ・Ｃ・Ｌ）・・・（４）
【００１０】
この式（４）において、第１項（Ａ・ｅi）は主信号の振幅成分、第２項〔Ｄ／（１＋Ｂ・Ｃ・Ｌ）〕は歪成分を示している。この式（４）から、図３に示す負帰還型増幅器２０の歪成分は、Ｂ，Ｃ及びＬに依存し、歪成分を十分に除去するためには、式（４）における第２項の分母、すなわち（１＋Ｂ・Ｃ・Ｌ）を十分に大きく取る必要があることが分かる。
【００１１】
上記の式（４）のＢ，Ｃ及びＬのうち、Ｌは第二の合成器２６の結合度であり、また、Ｃも第一の合成器２２での結合度Ｋに依存するため限界があり、充分大きな値を自由に設定することができない。このため、歪成分を小さくするには、第二の増幅器２４の利得Ｂを十分に大きくとる必要がある。ところが、第二の増幅器２４の利得Ｂを大きくとると回路全体の消費電力が大きくなるだけでなく、第二の増幅器２４自体もトランジスタの多段化等により、回路規模及び部品点数が増大し、コストが高くなってしまう。また、位相回転による悪影響も増大するので、第三の位相・電力レベル調整回路２５における位相回転量及び電力レベルの調整が困難であり、さらに発振する可能性が増加することになり、広帯域化に適さず、歪抑圧もできなくなる。
【００１２】
そこで、特許文献１に開示の負帰還型歪補償装置以外にも、例えば、特許文献２に開示の技術が知られている。図４は、特許文献２に開示された負帰還型歪補償装置３０の構成を示す図である。
【００１３】
図４において、入力端子３１から高周波信号が入力される。この高周波入力信号は、第一の方向性結合器３２で主信号と補助信号とに分配される。分配された主信号は、主増幅器である第一の増幅器３３で増幅される。一方、第一の方向性結合器３２で分配された補助信号は第三の方向性結合器３５に供給される。
【００１４】
また、第一の増幅器３３で増幅された主信号には、増幅時に発生した歪成分が含まれる。歪成分を含んだ主信号は、第二の方向性結合器３４において、その一部が取り出され、第三の方向性結合器３５に供給される。第三の方向性結合器３５には、第一の方向性結合器３２で分配された補助信号も供給され、第三の方向性結合器３５は、第二の方向性結合器３４から取り出された歪成分を含む主信号と、第一の方向性結合器３２で分配された補助信号とが逆位相で結合する。
【００１５】
この結果、第三の方向性結合器３５は、第一の増幅器３３で発生した歪成分のみを取り出すことになる。この第三の方向性結合器３５で取り出された歪成分は、第二の増幅器３６で増幅される。第二の増幅器３６で増幅された歪成分は、発振防止用の帯域通過フィルタ３７を通って、第一の方向性結合器３２と第一の増幅器３３の間に設けられた第四の方向性結合器３８に供給される。
【００１６】
第四の方向性結合器３８では、帯域通過フィルタ３７を通った歪成分が、第一の方向性結合器３２で分配された主信号と結合され、第一の増幅器３３で発生する歪成分を補償するように作用する。歪成分が補償された第一の増幅器３３の出力は、第二の方向性結合器３４を経て、出力端子３９から出力される。
【００１７】
上記の負帰還型歪補償装置において、第一の増幅器３３の信号帯域が広い場合、帰還ループで所望帯域の信号の位相は反転するが、それ以外の帯域の信号については、位相が反転せずに正帰還となり、発振する可能性がある。これを防止するため所望の帯域の信号だけを通過させる帯域通過フィルタ３７を第二の増幅器３６の後段に入れている。
【先行技術文献】
【特許文献】
【００１８】
【特許文献１】特許第３８５１７５８号公報（第２４頁、第１９図）
【特許文献２】特開平５−１６７３５６号公報（第３頁、第１図）
【非特許文献】
【００１９】
【非特許文献１】High-Linearity RF Amplifier Design、第4章、PETER B.KENINGTON Artech Houses 2000年
【発明の概要】
【発明が解決しようとする課題】
【００２０】
しかしながら、上述した特許文献２に開示の負帰還型歪補償装置では、第一の増幅器の出力信号の一部を、そのまま位相を反転して負帰還をかけているため、広帯域信号に対して歪補償量を大きくしようとすると、帯域内の位相差をできるだけ小さくする必要がある。つまり、帰還ループの遅延を小さくしなければならない。ところが、帯域通過フィルタ３７により、遅延が増加しているため、広帯域信号に対する歪補償量が減少するという問題がある。
【００２１】
本発明の目的は、帰還ループの遅延を低減し、広帯域信号を増幅する際も十分な歪補償量を確保する負帰還型歪補償装置及び負帰還型歪補償方法を提供することである。
【課題を解決するための手段】
【００２２】
本発明の負帰還型歪補償装置は、入力信号を第一信号、第二信号、第三信号に分配する分配手段と、前記第一信号を増幅する増幅手段と、前記第二信号を用いて、前記増幅手段によって生じる歪成分を抽出する歪抽出手段と、前記第三信号を逆相に移相する移相手段と、逆相に移相された前記第三信号の送信信号帯域を除去する帯域除去手段と、抽出された前記歪成分と、送信信号帯域が除去された前記第三信号とを合成し、歪補償信号を生成する歪補償信号生成手段と、生成された前記歪補償信号を前記第一信号と結合する結合手段と、を具備する構成を採る。
【００２３】
本発明の負帰還型歪補償方法は、入力信号を第一信号、第二信号、第三信号に分配する工程と、前記第一信号を増幅する工程と、前記第二信号を用いて、前記増幅によって生じる歪成分を抽出する工程と、前記第三信号を逆相に移相する工程と、逆相に移相された前記第三信号の送信信号帯域を除去する工程と、抽出された前記歪成分と、送信信号帯域が除去された前記第三信号とを合成し、歪補償信号を生成する工程と、生成された前記歪補償信号を前記第一信号と結合する工程と、を具備する構成を採る。
【発明の効果】
【００２４】
本発明によれば、帰還ループの遅延を低減し、広帯域信号を増幅する際も十分な歪補償量を確保することができる。
【図面の簡単な説明】
【００２５】
【図１】増幅器が発生する相互変調歪を補償する一般的な増幅装置の構成を示す図
【図２】図１のキャリア信号及び歪み信号をベクトル的に表現した図
【図３】特許文献１に開示の負帰還型増幅器の伝達関数を求める構成を示すブロック図
【図４】特許文献２に開示された負帰還型歪補償装置の構成を示す図
【図５】本発明の実施の形態１に係る負帰還型歪補償装置の構成を示す図
【図６】本発明の実施の形態２に係る負帰還型歪補償装置の構成を示す図
【図７】本発明の実施の形態３に係る負帰還型歪補償装置の構成を示す図
【図８】本発明の実施の形態３に係る負帰還型歪補償装置の他の構成を示す図
【図９】本発明の実施の形態４に係る負帰還型歪補償装置の構成を示す図
【図１０】本発明の実施の形態４に係る負帰還型歪補償装置の他の構成を示す図
【発明を実施するための形態】
【００２６】
以下、本発明の実施の形態について、図面を参照して詳細に説明する。ただし、実施の形態において、同一の構成には同一の符号を付し、重複する説明は省略する。
【００２７】
（実施の形態１）
図５は、本発明の実施の形態１に係る負帰還型歪補償装置１００の構成を示す図である。以下、図５を用いて負帰還型歪補償装置１００の構成について説明する。
【００２８】
第一の分配器１０２は、入力端子１０１から入力された複数の周波数からなる入力信号を第一信号（主信号）と第二信号（注入信号）の二系統に分配し、第一信号（主信号）を第二の分配器１０３に出力し、第二信号（注入信号）を第一の移相器１１４に出力する。
【００２９】
第二の分配器１０３は、第一の分配器１０２出力された第一信号（主信号）をさらに第三信号（主信号）と第四信号（基準信号）の二系統に分配し、第三信号（主信号）を第一の方向性結合器１０４に出力し、第四信号（基準信号）を第二の遅延回路１０７に出力する。
【００３０】
第一の方向性結合器１０４は、第二の分配器１０３から出力された第三信号（主信号）に、後述する第二の増幅器１１２から出力される信号を結合し、結合された主信号を第一の増幅器１０５に出力する。
【００３１】
第一の増幅器１０５は、第一の方向性結合器１０４から出力された主信号を増幅し、増幅した主信号を第二の方向性結合器１０６に出力する。このとき、第一の増幅器１０５は歪成分を発生する。
【００３２】
第二の方向性結合器１０６は、第一の増幅器１０５から出力された主信号の一部を取り出し、取り出した信号を第五信号（帰還信号）として第一の合成器１０９に出力する。
【００３３】
第二の遅延回路１０７は、第二の分配器１０３から出力された第三信号（主信号）が第一の方向性結合器１０４、第一の増幅器１０５及び第二の方向性結合器１０６を経由して、第一の合成器１０９に到るまでの回路遅延と、第二の分配器１０３から出力された第四信号（基準信号）が第二の遅延回路１０７と後述する第三の移相器１０８を経由して、第一の方向性結合器１０９に到るまでの回路遅延とが等しくなるような遅延を、第二の分配器１０３から出力された第四信号（基準信号）に与え、第三の移相器１０８に出力する。
【００３４】
第三の移相器１０８は、第二の遅延回路１０７から出力された第四信号（基準信号）の位相を逆相に調整し、第一の合成器１０９に出力する。
【００３５】
第一の合成器１０９は、第二の方向性結合器１０６から出力された歪成分を含んだ帰還信号と、第三の移相器１０８から出力された第四信号（基準信号）とを合成する。この結果、第一の増幅器１０５で発生した歪成分のみが取り出されるので、第一の合成器１０９は歪抽出手段として機能する。この歪成分は第二の移相器１１０に出力される。
【００３６】
第二の移相器１１０は、第一の方向性結合器１０４で合成される際、第一の増幅器１０５の発生する歪の位相成分と逆位相となるように、第一の合成器１０９から出力された歪成分の位相を調整し、位相を調整した歪成分を第二の合成器１１１に出力する。
【００３７】
第二の合成器１１１は、第二の移相器１１０から出力された歪成分と、後述する第一の遅延回路１１６から出力された第二信号（注入信号）とを合成し、合成した信号を第二の増幅器１１２に出力する。
【００３８】
第二の増幅器１１２は、第二の合成器１１１から出力された信号を増幅し、増幅した信号を第一の方向性結合器１０４に出力する。なお、第二の移相器１１０、第二の合成器１１１及び第二の増幅器１１２は、歪を補償する歪補償信号を生成する歪補償信号生成手段として機能する。
【００３９】
ここでは、第一の増幅器１０５に対する帰還ループは、第二の方向性結合器１０６、第一の合成器１０９、第二の移相器１１０、第二の合成器１１１、第二の増幅器１１２及び第一の方向性結合器１０４によって構成される。
【００４０】
このように、第二の方向性結合器１０６から出力された帰還信号は、帰還ループを経由して、第一の方向性結合器１０４において、歪成分などが第二の分配器１０３から出力された第三信号（主信号）と結合される。そして、第三信号（主信号）が結合された帰還信号は、第一の増幅器１０５で発生する歪成分を補償するように作用する。そして、歪成分が補償された第一の増幅器１０５の出力信号は、第二の方向性結合器１０６を経て、出力端子１１３から出力される。
【００４１】
ここで、帰還信号は、その利得や位相の周波数特性によっては帰還ループで正帰還され、発振してしまうため、そのような周波数帯を抑圧するように、第一の移相器１１４は、第一の分配器１０２により分配された第二信号（注入信号）を位相調整し、位相調整した第二信号を帯域除去フィルタ１１５に出力する。
【００４２】
帯域除去フィルタ１１５は、第一の移相器１１４から出力された第二信号の送信信号帯域を除去し、送信信号帯域外の第二信号を第一の遅延回路１１６に出力する。
【００４３】
第一の遅延回路１１６は、第一の分配器１０２から出力された第一信号（主信号）が第二の分配器１０３、第一の方向性結合器１０４、第一の増幅器１０５、第二の方向性結合器１０６、第一の合成器１０９及び第二の移相器１１０を経由して、第二の合成器１１１に到るまでの回路遅延と、第一の分配器１０２から出力された第二信号（注入信号）の第一の移相器１１４及び帯域除去フィルタ１１５を経由して、第二の合成器１１１に到るまでの回路遅延とが等しくなるような遅延を、帯域除去フィルタ１１５から出力された信号に与え、第二の合成器１１１に出力する。
【００４４】
このように、第１の分配器１０２によって分配された第二信号（注入信号）を逆相に移相し、移相した第二信号から送信帯域外の信号を抽出して、帰還ループの第二の合成器１１１において、送信帯域外の信号と歪成分とを合成することにより、送信帯域外の信号成分を抑圧することができる。これにより、利得や位相の周波数特性によっては帰還ループで正帰還され、発振してしまうような周波数帯を抑圧することができる。また、回路遅延の大きい帯域通過フィルタを帰還ループ内に設けずに済み、帰還ループの遅延を減少することができる。
【００４５】
一般に、負帰還型歪補償において、同一の抑圧量を得るためには、信号帯域が広いほど帰還遅延の許容範囲が小さくなる。このため、帯域通過フィルタによる遅延を減少することにより、広帯域な信号の歪補償も大きくとることができる。
【００４６】
このように実施の形態１によれば、負帰還型歪補償装置において、入力信号を逆相に移相し、移相した入力信号から送信帯域外の信号を抽出し、送信帯域外の入力信号と第１の増幅器において発生する歪成分とを合成する。これにより、送信帯域外の信号成分を抑圧することができ、帰還ループで発振してしまうような周波数帯を抑圧することができる。
【００４７】
また、回路遅延の大きい帯域通過フィルタを帰還ループ内に設けずに済み、帰還ループの遅延を減少することができるため、帰還遅延の許容範囲の小さい広帯域な信号の歪補償も大きくとることができる。
【００４８】
（実施の形態２）
図６は、本発明の実施の形態２に係る負帰還型歪補償装置２００の構成を示す図である。図６が図５と異なる点は、第一の検波器２０１、第二の検波器２０２、比較器２０３及び利得制御部２０４を追加した点である。
【００４９】
第一検波器２０１は、入力端子１０１から入力された入力信号の信号レベルを検波して、信号レベルを比較器２０３に出力すると共に、検波した入力信号を第一の分配器１０２に出力する。
【００５０】
第二の検波器２０２は、第二の方向性結合器１０６から出力された出力信号の信号レベルを検波し、信号レベルを比較器２０３に出力すると共に、検波した出力信号を出力端子１１３に出力する。
【００５１】
比較器２０３は、第一の検波器２０１から出力された入力信号レベルと、第二の検波器２０２から出力された出力信号レベルとを比較し、そのレベル差に応じて後述する利得制御部２０４を制御する。
【００５２】
利得制御部２０４は、比較器２０３の制御によって、利得制御部２０４の入出力の利得が一定となるように第二の分配器１０３から出力された第三信号（主信号）の利得を制御して第一の方向性結合器１０４に出力する。
【００５３】
このように利得制御部２０４を設けることにより、第一の方向性結合器１０４において逆相の信号を合成することに起因する主信号のキャリア抑圧を補正することができる。なお、このキャリア抑圧は、経年変化、温度などの影響により一定ではないため、常時又は周期的に利得制御を行うことにより、これらの影響も考慮してキャリア抑圧を補正することができる。
【００５４】
このように実施の形態２によれば、入力信号レベルと出力信号レベルとの差に応じて、入出力の利得が一定となるように主信号の利得を制御することにより、主信号のキャリア抑圧を補正することができ、歪補償を精度良く行うことができる。
【００５５】
なお、本実施の形態では、利得制御部２０４は第二の分配器１０３と第一の方向性結合器１０４との間に設ける場合について説明したが、第一の方向性結合器１０４と第一の増幅器１０５との間に設けてもよい。
【００５６】
（実施の形態３）
図７は、本発明の実施の形態３に係る負帰還型歪補償装置３００の構成を示す図である。図７が図５と異なる点は、第一の分配器１０２、第二の分配器１０３、第二の遅延回路１０７、第三の移相器１０８、第一の移相器１１４、帯域除去フィルタ１１５及び第一の遅延回路１１６の接続を変更した点である。
【００５７】
第一の分配器１０２は、入力端子１０１から入力された複数の周波数からなる入力信号を第一信号（主信号）と第二信号（注入信号）の二系統に分配し、第一信号（主信号）を第一の方向性結合器１０４に出力し、第二信号（基準信号）を第二の分配器１０３に出力する。
【００５８】
第二の分配器１０３は、第一の分配器１０２出力された第二信号（基準信号）をさらに第三信号（基準信号）と第四信号（注入信号）の二系統に分配し、第三信号（基準信号）を第三の移相器１０８に出力し、第四信号（注入信号）を第一の移相器１１４に出力する。
【００５９】
第一の移相器１１４は、帰還信号がその利得や位相の周波数特性によって帰還ループで正帰還され、発振することを防止するため、そのような周波数帯を抑圧するように、第二の分配器１０３により分配された第四信号（注入信号）を位相調整する。位相調整された第四信号は第一の遅延回路１１６に出力される。
【００６０】
第一の遅延回路１１６は、第一の分配器１０２から出力された第一信号（主信号）が第一の方向性結合器１０４、第一の増幅器１０５及び第二の方向性結合器１０６を経由して、第一の合成器１０９に到るまでの回路遅延と、第一の分配器１０２から出力された第二信号（基準信号）が第二の分配器１０３、第一の移相器１１４及び第一の遅延回路１１６を経由して、第一の方向性結合器１０９に到るまでの回路遅延とが等しくなるような遅延を、第一の移相器１１４から出力された信号に与え、第一の合成器１０９に出力する。
【００６１】
一方、第三の移相器１０８は、第二の分配器１０３から出力された第三信号（基準信号）の位相を逆相に調整し、帯域除去フィルタ１１５に出力する。
【００６２】
帯域除去フィルタ１１５は、第三の移相器１０８から出力された第三信号の送信信号帯域を除去し、送信信号帯域外の第三信号を第二の遅延回路１０７に出力する。
【００６３】
第二の遅延回路１０７は、第一の分配器１０２から出力された第一信号（主信号）が第一の方向性結合器１０４、第一の増幅器１０５、第二の方向性結合器１０６、第一の合成器１０９及び第二の移相器１１０を経由して、第二の合成器１１１に到るまでの回路遅延と、第一の分配器１０２から出力された第二信号（基準信号）が第二の分配器１０３、第三の移相器１０８、帯域除去フィルタ１１５及び第二の遅延回路１０７を経由して、第二の合成器１１１に到るまでの回路遅延とが等しくなるような遅延を、帯域除去フィルタ１１５から出力された信号に与え、第二の合成器１１１に出力する。
【００６４】
このように実施の形態３によれば、実施の形態１と同様、負帰還型歪補償装置において、入力信号を逆相に移相し、移相した入力信号から送信帯域外の信号を抽出し、送信帯域外の入力信号と第１の増幅器において発生する歪成分とを合成する。これにより、送信帯域外の信号成分を抑圧することができ、帰還ループで発振してしまうような周波数帯を抑圧することができる。
【００６５】
また、回路遅延の大きい帯域通過フィルタを設けずに済み、帯域通過フィルタによる遅延を減少することができるため、帰還遅延の許容範囲の小さい広帯域な信号の歪補償も精度良く行うことができる。
【００６６】
なお、実施の形態３は、図８に示すように、実施の形態２に示した構成を組み合わせることが可能であり、これにより主信号のキャリア抑圧を補正することができ、歪補償を精度良く行うことができる。
【００６７】
（実施の形態４）
図９は、本発明の実施の形態４に係る負帰還型歪補償装置４００の構成を示す図である。図９が図５と異なる点は、第二の遅延回路１０７、第三の移相器１０８、帯域除去フィルタ１１５及び第一の遅延回路１１６の接続を変更した点である。
【００６８】
第一の遅延回路１１６は、第一の分配器１０２から出力された第一信号（主信号）が第二の分配器１０３、第一の方向性結合器１０４、第一の増幅器１０５及び第二の方向性結合器１０６を経由して、第一の合成器１０９に到るまでの回路遅延と、第一の分配器１０２から出力された第二信号（基準信号）の第一の移相器１１４及び第一の遅延回路１１６を経由して、第一の合成器１０９に到るまでの回路遅延とが等しくなるような遅延を、第一の移相器１１４から出力された信号に与え、第一の合成器１０９に出力する。
【００６９】
第三の移相器１０８は、第二の分配器１０３から出力された第四信号（基準信号）の位相を逆相に調整し、帯域除去フィルタ１１５に出力する。
【００７０】
帯域除去フィルタ１１５は、第三の移相器１０８から出力された第四信号の送信信号帯域を除去し、送信信号帯域外の第四信号を第二の遅延回路１０７に出力する。
【００７１】
第二の遅延回路１０７は、第二の分配器１０３から出力された第三信号（主信号）が第一の方向性結合器１０４、第一の増幅器１０５、第二の方向性結合器１０６、第一の合成器１０９及び第二の移相器１１０を経由して、第二の合成器１１１に到るまでの回路遅延と、第二の分配器１０３から出力された第四信号（基準信号）が第三の移相器１０８、帯域除去フィルタ１１５及び第２の遅延回路１０７を経由して、第二の合成器１１１に到るまでの回路遅延とが等しくなるような遅延を、帯域除去フィルタ１１５から出力された信号に与え、第二の合成器１１１に出力する。
【００７２】
このように実施の形態４によれば、実施の形態１と同様、負帰還型歪補償装置において、入力信号を逆相に移相し、移相した入力信号から送信帯域外の信号を抽出し、送信帯域外の入力信号と第１の増幅器において発生する歪成分とを合成する。これにより、送信帯域外の信号成分を抑圧することができ、帰還ループで発振してしまうような周波数帯を抑圧することができる。
【００７３】
また、回路遅延の大きい帯域通過フィルタを設けずに済み、帯域通過フィルタによる遅延を減少することができるため、帰還遅延の許容範囲の小さい広帯域な信号の歪補償も精度良く行うことができる。
【００７４】
なお、実施の形態４は、図１０に示すように、実施の形態２に示した構成を組み合わせることが可能であり、これにより主信号のキャリア抑圧を補正することができ、歪補償を精度良く行うことができる。
【００７５】
なお、上記各実施の形態では、第二の合成器１１１を第二の増幅器１１２の前段に設けているが、第二の増幅器１１２の後段に設けてもよい。また、条件によっては、遅延回路や移相器は省略することもできる。
【００７６】
また、上記各実施の形態では、分配数２の分配器を組み合わせて用いたが、分配数２以上の分配器を用いてもよい。
【産業上の利用可能性】
【００７７】
本発明にかかる負帰還型歪補償装置及び負帰還型歪補償方法は、移動体通信システムにおける無線通信基地局装置等に適用できる。
【符号の説明】
【００７８】
１０１  入力端子
１０２  第一の分配器
１０３  第二の分配器
１０４  第一の方向性結合器
１０５  第一の増幅器
１０６  第二の方向性結合器
１０７  第二の遅延回路
１０８  第三の移相器
１０９  第一の合成器
１１０  第二の移相器
１１１  第二の合成器
１１２  第二の増幅器
１１３  出力端子
１１４  第一の移相器
１１５  帯域除去フィルタ
１１６  第一の遅延回路
２０１  第一の検波器
２０２  第二の検波器
２０３  比較器
２０４  利得制御部
【図１】
2011097186.tif 000003
【図２】
2011097186.tif 000004
【図３】
2011097186.tif 000005
【図４】
2011097186.tif 000006
【図５】
2011097186.tif 000007
【図６】
2011097186.tif 000008
【図７】
2011097186.tif 000009
【図８】
2011097186.tif 000010
【図９】
2011097186.tif 000011
【図１０】
2011097186.tif 000012